(57)【要約】【課題】商品の荷重が局部的に掛からないようにすることができて、当該包装用吊下袋内への商品の収容も簡単に行うこと。【解決手段】表側材１１または裏側材１２の下端部を内側上方に折り込んで収容物支持部１５とし、裏側材１２または表側材１１の下端部を収容物支持部１５の下端に位置する折目線１５ａより下方に延在した蓋部１６としたこと。【選択図】図２
2012131516.tif 000002
【特許請求の範囲】
【請求項１】
表側材と裏側材とを少なくとも上端で連続させて収容部を形成し、上部に設けた吊下部にて吊下するようにした包装用吊下袋であって、
前記表側材または裏側材の下端部を内側上方に折り込んで収容物支持部とし、前記裏側材または表側材の下端部を前記収容物支持部の下端に位置する折目線より下方に延在した蓋部としたことを特徴とする包装用吊下袋。
【請求項２】
前記吊下部を、前記収容部の上部に設けた補強材に形成したことを特徴とする請求項１に記載の包装用吊下袋。
【発明の詳細な説明】
【技術分野】
【０００１】
本発明は、包装袋に関し、特に、吊下部にて吊下ピンに吊下させるようにした包装用吊下袋に関するものである。
【背景技術】
【０００２】
近年の各種商品の陳列は、商品を入れた袋やケースを棚上に置いて行うことは当然として、例えば図１に示すように、水平に突出させた吊下ピンに商品を入れた袋やケースを吊下させて行うことも多くなってきている。そのために、商品を入れた袋やケースに丸孔を代表とする吊下部を形成しておいて、この吊下部に吊下ピンを挿通して吊下するのである。
【０００３】
このように、吊下部に吊下ピンを挿入して包装袋を吊下すれば、包装袋内の商品、つまり収容物は吊下ピンから垂れ下がることになり、多くの場合、商品の略全体を前面に向けた陳列が行えることになるのである。それだけでなく、吊下ピンを長くすれば、数多くの包装袋を吊下することができて、手前の商品が売れても後ろから別の商品が現れて、その商品の陳列が常に同じ状態で行われることになる。
【０００４】
しかしながら、以上のような陳列方法を採れば、収容物つまり商品が垂れ下がり状態となることから、包装袋の上部に過大な力が掛かることになる。このため、包装袋の蓋が開いて商品が袋から落下したり、吊下部が破損して袋毎商品が落下してしまうことがしばしば発生した。
【０００５】
このような問題を解決するために、例えば、特許文献１や特許文献２等において種々な提案がなされてきたのである。
【先行技術文献】
【特許文献】
【０００６】
【特許文献１】特開平１１−２９１５４号公報、要約、代表図
【特許文献２】特開２００３−８１２９０号公報、要約、代表図
【発明の概要】
【発明が解決しようとする課題】
【０００７】
特許文献１の「貼付けフック及び該フックを備えた包装用袋」は、「商品の吊り杆への吊下げ陳列を可能とし、かつ、着脱を容易にすると共に、商品の見栄えを損うことのない貼付けフック及び包装用袋を得る」ことを目的としてなされたもので、図８にも示すように、「上部のヘッダ部７の裏面にフック１５を接着した包装用溶断袋１。ヘッダ部７には係止用孔８と該孔８からヘッダ部７の外縁へ連通する溝９が形成されている。フック１５は略鉤状の係止部１６を有し、孔８及び溝９とは重ならないように、かつ、係止部１６を孔８の直上に位置させた状態で、ヘッダ部７の裏面に接着されている」ものである。
【０００８】
また、この特許文献１の「貼付けフック及び該フックを備えた包装用袋」は、図８にも示すように、「この袋１は、１枚のプラスチックフィルムを頂部１ａで折り返して表片２と裏片３とし（表片２は裏片３よりも若干長い）、両側５ａ，５ｂを周知の熱溶断方法でカットして袋体としたものである。符号６で示す部分は横断方向に線状に熱溶着され、ヘッダ部７が形成されている。表片２の下部には、接着剤１１及び離型フィルム１２が設けられている。この表片２の下部は袋１の開閉蓋として機能する」ものとしてある。
【０００９】
しかしながら、この特許文献１の、袋１の開閉蓋として機能する「表片２の下部」には、商品の重量が直接的に掛かる部分となっており、もし、この「表片２の下部」を接着している接着剤が劣化したり、接着状態が完全でなかったりすると、この「表片２の下部」が開いて商品を落下させてしまうと考えられる。
【００１０】
一方、特許文献２の「包装袋」は、「陳列棒に吊り下げて陳列する包装袋において、包装袋より包装袋内の商品が、包装袋より落下することのない包装袋を提供する。包装袋に商品を収納する時に容易に収納できる包装袋を提供する」ことを目的としてなされたもので、図９に示すように、「表フィルムと裏フィルムを構成して、それらの表フィルムと裏フィルムの下縁どうしが連結され、両端縁が接着されて、上方部に収納口を設けた包装袋。フタ部の表フィルムに付着する面に、粘着剤を塗布し、塗布面に離型紙をフタ部全面に付着させて、大きな収納口部を形成して、商品の収納を容易にした」ものである。
【００１１】
そして、この特許文献２には、当該文献２の発明に関連する包装袋が、図１０の（ａ）〜（ｄ）に示すように、従来例２例とも併せて４種類示されているが、これら４種類の包装袋のいずれもが、一箇所の接着で封がなされる構造となっている。このため、商品の重量は、一箇所の接着部分に掛かることになり、この接着部分が劣化したり十分でなかったりすると、商品は当該包装袋から落下することになると考えられる。
【００１２】
また、この種の包装袋の「接着剤」として、非常に接着力の高いものを採用すれば、上記の各種問題は解決できると考えられるが、実際はそうではない。何故なら、商品の開封を行う場合、収容状態の良くない商品の詰め直しを行う場合、不足した説明書を入れたい場合等、種々な場面で一旦封をした包装袋の開封を行わなければならないことがあり得るのであり、その場合に、強力な接着剤が採用されていたら袋毎破らなければならない。つまり、再開封した場合に、その包装袋は使い物にならなくなるから、あまり強力な接着力の接着剤は使用できないのである。
【００１３】
そこで、本発明者等は、この種の包装用吊下袋について、商品の重力が局部的に掛からないようにして、接着部分が簡単には開くことがなく、しかも当該包装用吊下袋内への商品の収容も簡単に行えるようにするにはどうしたらよいか、について種々検討を重ねてきた結果、本発明を完成したのである。
【００１４】
すなわち、本発明の目的とするところは、簡単な構造によって、商品の荷重が局部的に掛からないようにすることができて、当該包装用吊下袋内への商品の収容も簡単に行うことのできる包装用吊下袋を提供することにある。
【課題を解決するための手段】
【００１５】
以上の課題を解決するために、まず、請求項１に係る発明の採った手段は、後述する最良形態の説明中で使用する符号を付して説明すると、
「表側材１１と裏側材１２とを少なくとも上端１３で連続させて収容部を形成し、上部に設けた吊下部１４にて吊下するようにした包装用吊下袋１０であって、
表側材１１または裏側材１２の下端部を内側上方に折り込んで収容物支持部１５とし、裏側材１２または表側材１１の下端部を収容物支持部１５の下端に位置する折目線１５ａより下方に延在した蓋部１６としたことを特徴とする包装用吊下袋１０」
である。
【００１６】
すなわち、この包装用吊下袋１０は、図１及び図３に示すように、表側材１１と裏側材１２とを少なくとも上端１３で連続させることにより袋状に形成したものであり、この袋状の中に、図２に示すように、収容物２０が入れられる収容部を形成したものである。この場合、「上端１３で連続させる」とは、後述する実施形態のように両者の「折り曲げ」であってもよく、また、両者の接着あるいは溶着であってもよいことを意味している。そして、この包装用吊下袋１０の上部に吊下部１４を設けて、この吊下部１４にて、図１及び図５に示すような吊下ピン３０に吊下するようにしたものである。
【００１７】
表側材１１及び裏側材１２の材料は何であっても良いが、後述する実施形態では、所謂プラスチックフィルムを採用している。また、これらの表側材１１及び裏側材１２は、同一材料を上端１３にて単に折り曲げて連続させるとよく、図１〜図３に示すように、この上端１３の少し下側部分で表側材１１及び裏側材１２を溶着線１８にて溶着することにより、吊下部１４である穴を形成する部分とするとよい。表側材１１及び裏側材１２が穴にて一本の吊下ピン３０に掛けられるからである。
【００１８】
この包装用吊下袋１０は、図３の特に（ｂ）に示すように、裏側材１２の下端部を内側上方に折り込んで形成した収容物支持部１５を有するものであるが、この収容物支持部１５は、表側材１１の下端部を内側上方に折り込んで形成してもよいものである。
【００１９】
この収容物支持部１５は、裏側材１２または表側材１１の下端部を内側上方に折り込んで形成したものであるから、その下端には、図３の（ａ）に示すような折目線１５ａが形成されるものであり、この折目線１５ａは当該包装用吊下袋１０の挿入口１０ａを形成しているのである。つまり、この包装用吊下袋１０において、収容物２０を収容する前の段階では、表側材１１及び裏側材１２の端部は挿入口１０ａ以外において連続または接続されたものとなっているのである。
【００２０】
一方、収容物支持部１５の折目線１５ａとは反対側の他端は、図３の（ｂ）に示すように、表側材１１にも裏側材１２にも接続されない自由端１５ｂとなっている。この自由端１５ｂは、収容物２０を入れていないときには、図３の（ｂ）に示すように文字通りその端部が自由に動き得るものであり、図４の（ａ）に示すように、挿入口１０ａを開いて収容物２０の挿入を許容し得る状態にするものである。また、この収容物支持部１５の自由端１５ｂは、図４の（ｂ）及び（ｃ）に示すように、当該包装用吊下袋１０内に完全に入れた収容物２０の底部（特に、その左右の端部に近い部分）を下から支えられるように開き得るものである。この自由端１５ｂの開きは、指等で自由端１５ｂの中央部を外側に引き出すようにすることによって簡単に行える。
【００２１】
また、この包装用吊下袋１０は、図３に示すように、表側材１１の下端部を収容物支持部１５の下端に位置する折目線１５ａより下方に延在させて形成した蓋部１６を有するものであるが、この蓋部１６は、裏側材１２の下端部を折目線１５ａより下方に延在させて形成してもよいものである。この蓋部１６の長さ（上下方向の延在量）は、当該包装用吊下袋１０の収容部内に入れられる収容物２０の厚さに応じて自由に変えられる。
【００２２】
この蓋部１６は、収容部内に収容物２０を入れた包装用吊下袋１０の挿入口１０ａを閉じるものであるから、図４の（ｃ）及び（ｄ）に示すように、収容物２０の底部を支えている収容物支持部１５を超えて裏側材１２の外側に固定される。この固定を簡単に行えるようにするために、後述する実施形態では、当該蓋部１６の内側面に接着剤１６ａを塗布しておき、この接着剤１６ａを剥離材１６ｂにて保護するようにしてある。この剥離材１６ｂは、図４の（ｃ）に示すように、蓋部１６を裏側材１２に固定（接着）する前に剥がされる。勿論、蓋部１６が裏側材１２の下端を延在させて形成した場合には、その固定箇所が表側材１１になることは言うまでもない。
【００２３】
なお、接着剤１６ａとしてその接着力が弱いものを採用すると、商品の開封を行う場合、収容状態の良くない商品の詰め直しを行う場合、不足した説明書を入れたい場合等、種々な場面で一旦封をしたものの開封が容易に行えるのである。そして、この開封した包装用吊下袋１０には破損部分がないのであるから、その再使用を何ら問題なく行えるのである。
【００２４】
以上の結果、当該包装用吊下袋１０内に収容物２０を入れる作業が非常に簡単であるだけでなく、収容物２０の底部は、図２にも示すように、広げた収容物支持部１５によって支えられることになり、この収容物２０の重力は、表側材１１と裏側材１２との両方で支えられることになるのである。
【００２５】
換言すれば、もし接着剤１６ａが劣化して、固定されていた裏側材１２または表側材１１から蓋部１６が剥がれたとしても、収容物２０は収容物支持部１５によって支えられたままであるから、包装用吊下袋１０から落下することはないのである。
【００２６】
従って、この請求項１に係る包装用吊下袋１０は、簡単な構造によって、商品の荷重が局部的に掛からないようにすることができて、当該包装用吊下袋１０内への商品の収容も簡単に行うことができるものとなっているのである。
【００２７】
また、上記課題を解決するために、請求項２に係る発明の採った手段は、上記請求項１に記載の包装用吊下袋１０について、
「吊下部１４を、収容部の上部に設けた補強材１７に形成したこと」
である。
【００２８】
すなわち、この請求項２の包装用吊下袋１０では、図５及び図６に示すように、表側材１１及び裏側材１２の、上端１３と溶着線１８との間に形成された空間内に補強材１７を収納しておいて、この補強材１７の中央上部に形成した突出部１７ａを、上端１３の中央部に形成した開口１３ａから突出させ、この突出部１７ａに吊下部１４を形成したものである。
【００２９】
この結果、当該包装用吊下袋１０の上部が補強材１７によって補強されるだけでなく、この補強材１７の突出部１７ａに吊下部１４を形成したのであるから、一本の吊下ピン３０に当該包装用吊下袋１０を吊下した場合であっても、収容物２０の荷重が包装用吊下袋１０の一部だけに掛かることが無くなる。このため、この請求項２の包装用吊下袋１０では、その上部での補強が十分なされていることになる。
【００３０】
従って、この請求項２に係る包装用吊下袋１０は、上記請求項１のそれと同様な機能を発揮する他、上部においても十分な補強がなされたものとなっているのである。
【発明の効果】
【００３１】
以上、説明した通り、本発明においては、
「表側材１１と裏側材１２とを少なくとも上端１３で連続させて収容部を形成し、上部に設けた吊下部１４にて吊下するようにした包装用吊下袋１０であって、
表側材１１または裏側材１２の下端部を内側上方に折り込んで収容物支持部１５とし、裏側材１２または表側材１１の下端部を収容物支持部１５の下端に位置する折目線１５ａより下方に延在した蓋部１６としたこと」
にその構成上の主たる特徴があり、これにより、簡単な構造によって、商品の荷重が局部的に掛からないようにすることができて、商品の収容も簡単に行うことのできる包装用吊下袋１０を提供することができたのである。
【図面の簡単な説明】
【００３２】
【図１】本発明に係る包装用吊下袋１０を一本の吊下ピン３０に吊下した状態の斜視図である。
【図２】図１の１−１線に沿ってみた部分縦断面図である。
【図３】同包装用吊下袋１０を示すもので、（ａ）は正面図、（ｂ）は縦断面図である。
【図４】同包装用吊下袋１０の収容部内へ収容物２０を挿入する状態を段階を経て示すもので、（ａ）は収容物２０を挿入口１０ａから入れようとしている状態の縦断面図、（ｂ）は収容物支持部１５を収容物２０の底部に開こうとしている状態の縦断面図、（ｃ）は収容物支持部１５を収容物２０の底部に当接させた状態を示す縦断面図、（ｄ）は蓋部１６を閉じた状態を示す縦断面図である。
【図５】同包装用吊下袋１０を一本の吊下ピン３０に吊下した状態の斜視図である。
【図６】図５の２−２線に沿ってみた部分縦断面図である。
【図７】同包装用吊下袋１０を示すもので、（ａ）は正面図、（ｂ）は縦断面図である。
【図８】特許文献１に示された従来技術を示す正面図と断面図である。
【図９】特許文献２に示された従来技術を示す正面図である。
【図１０】特許文献２に示された従来の包装用吊下袋１０を（ａ）〜（ｄ）の４種類示す各断面図である。
【発明を実施するための形態】
【００３３】
次に、上記のように構成した各請求項に係る発明を、図面に示した実施の形態である包装用吊下袋１０について説明するが、この包装用吊下袋１０は、図１〜図４の実施例１に係るものと、図５〜図７の実施例２に係るものとがあるので、以下では、各実施例毎に説明して行くこととする。
【００３４】
（実施例１）
図１〜図４には、本発明の実施例１に係る包装用吊下袋１０が示してある。この包装用吊下袋１０において、その表側材１１及び裏側材１２は、合成樹脂フィルムを材料としているがこれに限るものではなく、例えばフィルムでなくてシートであってもよいし、また紙あるいは厚紙であってもよいものである。また、これらの表側材１１及び裏側材１２は、図１〜図３に示したように、一枚の合成樹脂フィルムを上端１３にて折り曲げるとともに、その左右両側を熱溶着されるものであり、これによって、図３の特に（ｂ）にて示したように、下方部分が挿入口１０ａとなる袋状の包装用吊下袋１０が形成されるのである。
【００３５】
また、これらの表側材１１及び裏側材１２は、図１〜図３に示したように、その上端１３の少し下側部分で溶着線１８にて溶着することにより、吊下部１４である穴を形成する部分としている。この吊下部１４を介して、一本の吊下ピン３０は、表側材１１及び裏側材１２の二枚のフィルムに形成した各穴にて掛けられることになる。つまり、この実施例１に係る包装用吊下袋１０は、表側材１１及び裏側材１２の二枚によって、図１に示したように、吊下ピン３０に吊下されることになるのである。
【００３６】
本実施形態では、図３の（ｂ）にて示したように、包装用吊下袋１０を構成している裏側材１２の下端を内側上方に折り込むことによって、この折り込んだ部分を収容物支持部１５としたものである。勿論、この収容物支持部１５は、次に述べる表側材１１の下端部に設けても良いが、その場合は、次に述べる蓋部１６は裏側材１２側に形成される。
【００３７】
この収容物支持部１５の下端には、図３の（ａ）に示したように、当該包装用吊下袋１０の挿入口１０ａである折目線１５ａが形成される。つまり、この折目線１５ａは、図４の（ａ）に示したように、挿入口１０ａを開いて収容物２０の挿入を許容するものである。この包装用吊下袋１０において、収容物２０を収容する前の段階では、表側材１１及び裏側材１２の端部は挿入口１０ａ以外において連続または接続している。
【００３８】
一方、収容物支持部１５の折目線１５ａとは反対側の他端は、図３の（ｂ）に示したように、表側材１１にも裏側材１２にも接続されない自由端１５ｂとなっており、この自由端１５ｂは、図４の（ｂ）及び（ｃ）に示したように、当該包装用吊下袋１０内に入れた収容物２０の底部を下から支えるように、当該包装用吊下袋１０の挿入口１０ａを指等で簡単に開くものである。
【００３９】
裏側材１２の下端部は、図３の（ｂ）にも示したように、収容物支持部１５の下端に位置する折目線１５ａより下方に延在される。この延在した部分は、図３の（ａ）及び（ｂ）に示したように、蓋部１６となる。なお、この蓋部１６には、図２に示した接着剤１６ａが塗布されるものであり、この接着剤１６ａは剥離材１６ｂが貼付されることによって保護される。
【００４０】
（実施例２）
図５〜図７には、本発明に係る包装用吊下袋１０の実施例２が示してあるが、この実施例２の包装用吊下袋１０では、補強材１７を採用して、この補強材１７の突出部１７ａに吊下部１４である穴を形成した以外は、上記の実施例１と同様である。従って、この実施例２の包装用吊下袋１０の説明では、この補強材１７を中止とした部分だけを行い、他の部分については、図５〜図７中に、実施例１で使用した符号を付して、その詳細は省略する。
【００４１】
すなわち、この実施例２の包装用吊下袋１０では、図５及び図６に示したように、表側材１１及び裏側材１２の、上端１３と溶着線１８との間に形成された空間内に補強材１７を収納しておいたものである。そして、この補強材１７の中央上部に突出部１７ａを形成し、この突出部１７ａを、図６にも示したように、上端１３の中央部に形成した開口１３ａから突出させて、これに吊下部１４を形成したのである。
【００４２】
この突出部１７ａは、例えば合成樹脂を材料として板状に形成したものであり、非常に安価でしかも必要十分な剛性を備えたものである。この突出部１７ａは、溶着線１８を形成する前に、上端１３の内側に配置して置けば、簡単に包装用吊下袋１０の構成物とすることができる。
【００４３】
この補強材１７は、当該包装用吊下袋１０の上部を補強するだけでなく、この補強材１７の突出部１７ａに吊下部１４を形成したのであるから、一本の吊下ピン３０に当該包装用吊下袋１０を吊下した場合であっても、収容物２０の荷重が包装用吊下袋１０の一部だけに掛かることがなくなる。このため、この実施例２の包装用吊下袋１０では、その上部での補強が十分なされていることになる。
【符号の説明】
【００４４】
１０    包装用吊下袋
１０ａ  挿入口
１１    表側材
１２    裏側材
１３    上端
１３ａ  開口
１４    吊下部
１５    収容物支持部
１５ａ  折目線
１５ｂ  自由端
１６    蓋部
１６ａ  接着剤
１７    補強材
１７ａ  突出部
１８    溶着線
２０    収容物
３０    吊下ピン
【図１】
2012131516.tif 000003
【図２】
2012131516.tif 000004
【図３】
2012131516.tif 000005
【図４】
2012131516.tif 000006
【図５】
2012131516.tif 000007
【図６】
2012131516.tif 000008
【図７】
2012131516.tif 000009
【図８】
2012131516.tif 000010
【図９】
2012131516.tif 000011
【図１０】
2012131516.tif 000012
【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
プラスチックフィルムからなる表側材と裏側材とを少なくとも上端で連続させて収容部を形成し、上部に設けた吊下部にて吊下するようにした包装用吊下袋であって、
前記表側材または裏側材の下端部を内側上方に折り込んで収容物支持部とし、前記裏側材または表側材の下端部を前記収容物支持部の下端に位置する折目線より下方に延在した蓋部とするとともに、
前記表側材及び裏側材の、前記上端と溶着線との間に形成された空間内に板状に形成した補強材を収納し、この補強材の中央上部に形成した突出部を、前記上端の中央部に形成した開口から突出させて、この突出部に前記吊下部を形成したことを特徴とする包装用吊下袋。
【手続補正２】
【補正対象書類名】明細書
【補正対象項目名】全文
【補正方法】変更
【補正の内容】
【発明の詳細な説明】
【技術分野】
【０００１】
本発明は、包装袋に関し、特に、吊下部にて吊下ピンに吊下させるようにした包装用吊下袋に関するものである。
【背景技術】
【０００２】
近年の各種商品の陳列は、商品を入れた袋やケースを棚上に置いて行うことは当然として、例えば図１に示すように、水平に突出させた吊下ピンに商品を入れた袋やケースを吊下させて行うことも多くなってきている。そのために、商品を入れた袋やケースに丸孔を代表とする吊下部を形成しておいて、この吊下部に吊下ピンを挿通して吊下するのである。
【０００３】
このように、吊下部に吊下ピンを挿入して包装袋を吊下すれば、包装袋内の商品、つまり収容物は吊下ピンから垂れ下がることになり、多くの場合、商品の略全体を前面に向けた陳列が行えることになるのである。それだけでなく、吊下ピンを長くすれば、数多くの包装袋を吊下することができて、手前の商品が売れても後ろから別の商品が現れて、その商品の陳列が常に同じ状態で行われることになる。
【０００４】
しかしながら、以上のような陳列方法を採れば、収容物つまり商品が垂れ下がり状態となることから、包装袋の上部に過大な力が掛かることになる。このため、包装袋の蓋が開いて商品が袋から落下したり、吊下部が破損して袋毎商品が落下してしまうことがしばしば発生した。
【０００５】
このような問題を解決するために、例えば、特許文献１や特許文献２等において種々な提案がなされてきたのである。
【先行技術文献】
【特許文献】
【０００６】
【特許文献１】特開平１１−２９１５４号公報、要約、代表図
【特許文献２】特開２００３−８１２９０号公報、要約、代表図
【発明の概要】
【発明が解決しようとする課題】
【０００７】
特許文献１の「貼付けフック及び該フックを備えた包装用袋」は、「商品の吊り杆への吊下げ陳列を可能とし、かつ、着脱を容易にすると共に、商品の見栄えを損うことのない貼付けフック及び包装用袋を得る」ことを目的としてなされたもので、図８にも示すように、「上部のヘッダ部７の裏面にフック１５を接着した包装用溶断袋１。ヘッダ部７には係止用孔８と該孔８からヘッダ部７の外縁へ連通する溝９が形成されている。フック１５は略鉤状の係止部１６を有し、孔８及び溝９とは重ならないように、かつ、係止部１６を孔８の直上に位置させた状態で、ヘッダ部７の裏面に接着されている」ものである。
【０００８】
また、この特許文献１の「貼付けフック及び該フックを備えた包装用袋」は、図８にも示すように、「この袋１は、１枚のプラスチックフィルムを頂部１ａで折り返して表片２と裏片３とし（表片２は裏片３よりも若干長い）、両側５ａ，５ｂを周知の熱溶断方法でカットして袋体としたものである。符号６で示す部分は横断方向に線状に熱溶着され、ヘッダ部７が形成されている。表片２の下部には、接着剤１１及び離型フィルム１２が設けられている。この表片２の下部は袋１の開閉蓋として機能する」ものとしてある。
【０００９】
しかしながら、この特許文献１の、袋１の開閉蓋として機能する「表片２の下部」には、商品の重量が直接的に掛かる部分となっており、もし、この「表片２の下部」を接着している接着剤が劣化したり、接着状態が完全でなかったりすると、この「表片２の下部」が開いて商品を落下させてしまうと考えられる。
【００１０】
一方、特許文献２の「包装袋」は、「陳列棒に吊り下げて陳列する包装袋において、包装袋より包装袋内の商品が、包装袋より落下することのない包装袋を提供する。包装袋に商品を収納する時に容易に収納できる包装袋を提供する」ことを目的としてなされたもので、図９に示すように、「表フィルムと裏フィルムを構成して、それらの表フィルムと裏フィルムの下縁どうしが連結され、両端縁が接着されて、上方部に収納口を設けた包装袋。フタ部の表フィルムに付着する面に、粘着剤を塗布し、塗布面に離型紙をフタ部全面に付着させて、大きな収納口部を形成して、商品の収納を容易にした」ものである。
【００１１】
そして、この特許文献２には、当該文献２の発明に関連する包装袋が、図１０の（ａ）〜（ｄ）に示すように、従来例２例とも併せて４種類示されているが、これら４種類の包装袋のいずれもが、一箇所の接着で封がなされる構造となっている。このため、商品の重量は、一箇所の接着部分に掛かることになり、この接着部分が劣化したり十分でなかったりすると、商品は当該包装袋から落下することになると考えられる。
【００１２】
また、この種の包装袋の「接着剤」として、非常に接着力の高いものを採用すれば、上記の各種問題は解決できると考えられるが、実際はそうではない。何故なら、商品の開封を行う場合、収容状態の良くない商品の詰め直しを行う場合、不足した説明書を入れたい場合等、種々な場面で一旦封をした包装袋の開封を行わなければならないことがあり得るのであり、その場合に、強力な接着剤が採用されていたら袋毎破らなければならない。つまり、再開封した場合に、その包装袋は使い物にならなくなるから、あまり強力な接着力の接着剤は使用できないのである。
【００１３】
そこで、本発明者等は、この種の包装用吊下袋について、商品の重力が局部的に掛からないようにして、接着部分が簡単には開くことがなく、しかも当該包装用吊下袋内への商品の収容も簡単に行えるようにするにはどうしたらよいか、について種々検討を重ねてきた結果、本発明を完成したのである。
【００１４】
すなわち、本発明の目的とするところは、簡単な構造によって、商品の荷重が局部的に掛からないようにすることができて、当該包装用吊下袋内への商品の収容も簡単に行うことのできる包装用吊下袋を提供することにある。
【課題を解決するための手段】
【００１５】
以上の課題を解決するために、まず、請求項１に係る発明の採った手段は、後述する最良形態の説明中で使用する符号を付して説明すると、
「プラスチックフィルムからなる表側材１１と裏側材１２とを少なくとも上端１３で連続させて収容部を形成し、上部に設けた吊下部１４にて吊下するようにした包装用吊下袋１０であって、
表側材１１または裏側材１２の下端部を内側上方に折り込んで収容物支持部１５とし、裏側材１２または表側材１１の下端部を収容物支持部１５の下端に位置する折目線１５ａより下方に延在した蓋部１６とするとともに、
表側材１１及び裏側材１２の、上端１３と溶着線１８との間に形成された空間内に板状に形成した補強材１７を収納し、この補強材１７の中央上部に形成した突出部１７ａを、上端１３の中央部に形成した開口１３ａから突出させて、この突出部１７ａに吊下部１４を形成したことを特徴とする包装用吊下袋１０」
である。
【００１６】
すなわち、この包装用吊下袋１０は、図１及び図３に示すように、表側材１１と裏側材１２とを少なくとも上端１３で連続させることにより袋状に形成したものであり、この袋状の中に、図２に示すように、収容物２０が入れられる収容部を形成したものである。この場合、「上端１３で連続させる」とは、後述する実施形態のように両者の「折り曲げ」であってもよく、また、両者の接着あるいは溶着であってもよいことを意味している。そして、この包装用吊下袋１０の上部に吊下部１４を設けて、この吊下部１４にて、図１及び図５に示すような吊下ピン３０に吊下するようにしたものである。
【００１７】
表側材１１及び裏側材１２の材料は、所謂プラスチックフィルムを採用している。また、これらの表側材１１及び裏側材１２は、同一材料を上端１３にて単に折り曲げて連続させるとよく、図１〜図３に示すように、この上端１３の少し下側部分で表側材１１及び裏側材１２を溶着線１８にて溶着することにより、吊下部１４である穴を形成する部分とするとよい。これらの表側材１１及び裏側材１２に形成した穴にて、当該包装用吊下袋１０を一本の吊下ピン３０に掛けられるからである。
【００１８】
この包装用吊下袋１０は、図３の特に（ｂ）に示すように、裏側材１２の下端部を内側上方に折り込んで形成した収容物支持部１５を有するものであるが、この収容物支持部１５は、表側材１１の下端部を内側上方に折り込んで形成してもよいものである。
【００１９】
この収容物支持部１５は、裏側材１２または表側材１１の下端部を内側上方に折り込んで形成したものであるから、その下端には、図３の（ａ）に示すような折目線１５ａが形成されるものであり、この折目線１５ａは当該包装用吊下袋１０の挿入口１０ａを形成しているのである。つまり、この包装用吊下袋１０において、収容物２０を収容する前の段階では、表側材１１及び裏側材１２の端部は挿入口１０ａ以外において連続または接続されたものとなっているのである。
【００２０】
一方、収容物支持部１５の折目線１５ａとは反対側の他端は、図３の（ｂ）に示すように、表側材１１にも裏側材１２にも接続されない自由端１５ｂとなっている。この自由端１５ｂは、収容物２０を入れていないときには、図３の（ｂ）に示すように文字通りその端部が自由に動き得るものであり、図４の（ａ）に示すように、挿入口１０ａを開いて収容物２０の挿入を許容し得る状態にするものである。また、この収容物支持部１５の自由端１５ｂは、図４の（ｂ）及び（ｃ）に示すように、当該包装用吊下袋１０内に完全に入れた収容物２０の底部（特に、その左右の端部に近い部分）を下から支えられるように開き得るものである。この自由端１５ｂの開きは、これがプラスチックフィルムからなる裏側材１２または表側材１１の下端部を折り込んで形成したものであるから、指等で自由端１５ｂの中央部を外側に引き出すようにすることによって簡単に行える。
【００２１】
また、この包装用吊下袋１０は、図３に示すように、表側材１１の下端部を収容物支持部１５の下端に位置する折目線１５ａより下方に延在させて形成した蓋部１６を有するものであるが、この蓋部１６は、裏側材１２の下端部を折目線１５ａより下方に延在させて形成してもよいものである。この蓋部１６の長さ（上下方向の延在量）は、当該包装用吊下袋１０の収容部内に入れられる収容物２０の厚さに応じて自由に変えられる。
【００２２】
この蓋部１６は、収容部内に収容物２０を入れた包装用吊下袋１０の挿入口１０ａを閉じるものであるから、図４の（ｃ）及び（ｄ）に示すように、収容物２０の底部を支えている収容物支持部１５を超えて裏側材１２の外側に固定される。この固定を簡単に行えるようにするために、後述する実施形態では、当該蓋部１６の内側面に接着剤１６ａを塗布しておき、この接着剤１６ａを剥離材１６ｂにて保護するようにしてある。この剥離材１６ｂは、図４の（ｃ）に示すように、蓋部１６を裏側材１２に固定（接着）する前に剥がされる。勿論、蓋部１６が裏側材１２の下端を延在させて形成した場合には、その固定箇所が表側材１１になることは言うまでもない。
【００２３】
なお、接着剤１６ａとしてその接着力が弱いものを採用すると、商品の開封を行う場合、収容状態の良くない商品の詰め直しを行う場合、不足した説明書を入れたい場合等、種々な場面で一旦封をしたものの開封が容易に行えるのである。そして、この開封した包装用吊下袋１０には破損部分がないのであるから、その再使用を何ら問題なく行えるのである。
【００２４】
以上の結果、当該包装用吊下袋１０内に収容物２０を入れる作業が非常に簡単であるだけでなく、収容物２０の底部は、図２にも示すように、広げた収容物支持部１５によって支えられることになり、この収容物２０の重力は、表側材１１と裏側材１２との両方で支えられることになるのである。
【００２５】
換言すれば、もし接着剤１６ａが劣化して、固定されていた裏側材１２または表側材１１から蓋部１６が剥がれたとしても、収容物２０は収容物支持部１５によって支えられたままであるから、包装用吊下袋１０から落下することはないのである。
【００２６】
従って、本発明に係る包装用吊下袋１０は、先ず第一に、簡単な構造によって、商品の荷重が局部的に掛からないようにすることができて、当該包装用吊下袋１０内への商品の収容も簡単に行うことができるものとなっているのである。
【００２７】
また、この包装用吊下袋１０は、表側材１１及び裏側材１２の、上端１３と溶着線１８との間に形成された空間内に板状に形成した補強材１７を収納し、この補強材１７の中央上部に形成した突出部１７ａを、上端１３の中央部に形成した開口１３ａから突出させて、この突出部１７ａに吊下部１４を形成したものであった。
【００２８】
すなわち、この包装用吊下袋１０では、図５及び図６に示すように、表側材１１及び裏側材１２の、上端１３と溶着線１８との間に形成された空間内に板状に形成した補強材１７を収納しておいて、この補強材１７の中央上部に形成した突出部１７ａを、上端１３の中央部に形成した開口１３ａから突出させ、この突出部１７ａに吊下部１４を形成したものである。
【００２９】
この結果、当該包装用吊下袋１０の上部が補強材１７によって補強されるだけでなく、この補強材１７の突出部１７ａに吊下部１４を形成したのであるから、一本の吊下ピン３０に当該包装用吊下袋１０を吊下した場合であっても、収容物２０の荷重が包装用吊下袋１０の一部だけに掛かることが無くなる。このため、この請求項２の包装用吊下袋１０では、その上部での補強が十分なされていることになる。
【００３０】
従って、この包装用吊下袋１０は、上記の第一の機能を発揮する他、第二の機能として、上部においても十分な補強がなされたものとなっているのである。
【発明の効果】
【００３１】
以上、説明した通り、本発明においては、
「プラスチックフィルムからなる表側材１１と裏側材１２とを少なくとも上端１３で連続させて収容部を形成し、上部に設けた吊下部１４にて吊下するようにした包装用吊下袋１０であって、
表側材１１または裏側材１２の下端部を内側上方に折り込んで収容物支持部１５とし、裏側材１２または表側材１１の下端部を収容物支持部１５の下端に位置する折目線１５ａより下方に延在した蓋部１６とするとともに、
表側材１１及び裏側材１２の、上端１３と溶着線１８との間に形成された空間内に板状に形成した補強材１７を収納し、この補強材１７の中央上部に形成した突出部１７ａを、上端１３の中央部に形成した開口１３ａから突出させて、この突出部１７ａに吊下部１４を形成したこと」
にその構成上の主たる特徴があり、これにより、簡単な構造によって、商品の荷重が局部的に掛からないようにすることができて、商品の収容も簡単に行うことができ、さらに、上部においても十分な補強がなされた包装用吊下袋１０を提供することができたのである。
【図面の簡単な説明】
【００３２】
【図１】本発明の基本構成を有した包装用吊下袋１０を一本の吊下ピン３０に吊下した状態の斜視図である。
【図２】図１の１−１線に沿ってみた部分縦断面図である。
【図３】同包装用吊下袋１０を示すもので、（ａ）は正面図、（ｂ）は縦断面図である。
【図４】同包装用吊下袋１０の収容部内へ収容物２０を挿入する状態を段階を経て示すもので、（ａ）は収容物２０を挿入口１０ａから入れようとしている状態の縦断面図、（ｂ）は収容物支持部１５を収容物２０の底部に開こうとしている状態の縦断面図、（ｃ）は収容物支持部１５を収容物２０の底部に当接させた状態を示す縦断面図、（ｄ）は蓋部１６を閉じた状態を示す縦断面図である。
【図５】本発明に係る包装用吊下袋１０を一本の吊下ピン３０に吊下した状態の斜視図である。
【図６】図５の２−２線に沿ってみた部分縦断面図である。
【図７】同包装用吊下袋１０を示すもので、（ａ）は正面図、（ｂ）は縦断面図である。
【図８】特許文献１に示された従来技術を示す正面図と断面図である。
【図９】特許文献２に示された従来技術を示す正面図である。
【図１０】特許文献２に示された従来の包装用吊下袋１０を（ａ）〜（ｄ）の４種類示す各断面図である。
【発明を実施するための形態】
【００３３】
次に、上記のように構成した各請求項に係る発明を、図面に示した実施の形態である包装用吊下袋１０について説明する。
【００３４】
図１〜図４には、本発明に係る包装用吊下袋１０の基本構成が示してある。この包装用吊下袋１０において、その表側材１１及び裏側材１２は、合成樹脂フィルム（プラスチックフィルム）を材料としているものである。また、これらの表側材１１及び裏側材１２は、図１〜図３に示したように、一枚の合成樹脂フィルムを上端１３にて折り曲げるとともに、その左右両側を熱溶着されるものであり、これによって、図３の特に（ｂ）にて示したように、下方部分が挿入口１０ａとなる袋状の包装用吊下袋１０が形成されるのである。
【００３５】
また、これらの表側材１１及び裏側材１２は、図１〜図３に示したように、その上端１３の少し下側部分で溶着線１８にて溶着することにより、吊下部１４である穴を形成する部分としている。この吊下部１４を介して、一本の吊下ピン３０は、表側材１１及び裏側材１２の二枚のフィルムに形成した各穴にて掛けられることになる。つまり、この実施例１に係る包装用吊下袋１０は、表側材１１及び裏側材１２の二枚によって、図１に示したように、吊下ピン３０に吊下されることになるのである。
【００３６】
本実施形態では、図３の（ｂ）にて示したように、包装用吊下袋１０を構成している裏側材１２の下端を内側上方に折り込むことによって、この折り込んだ部分を収容物支持部１５としたものである。勿論、この収容物支持部１５は、次に述べる表側材１１の下端部に設けても良いが、その場合は、次に述べる蓋部１６は裏側材１２側に形成される。
【００３７】
この収容物支持部１５の下端には、図３の（ａ）に示したように、当該包装用吊下袋１０の挿入口１０ａである折目線１５ａが形成される。つまり、この折目線１５ａは、図４の（ａ）に示したように、挿入口１０ａを開いて収容物２０の挿入を許容するものである。この包装用吊下袋１０において、収容物２０を収容する前の段階では、表側材１１及び裏側材１２の端部は挿入口１０ａ以外において連続または接続している。
【００３８】
一方、収容物支持部１５の折目線１５ａとは反対側の他端は、図３の（ｂ）に示したように、表側材１１にも裏側材１２にも接続されない自由端１５ｂとなっており、この自由端１５ｂは、図４の（ｂ）及び（ｃ）に示したように、当該包装用吊下袋１０内に入れた収容物２０の底部を下から支えるように、当該包装用吊下袋１０の挿入口１０ａを指等で簡単に開くものである。
【００３９】
裏側材１２の下端部は、図３の（ｂ）にも示したように、収容物支持部１５の下端に位置する折目線１５ａより下方に延在される。この延在した部分は、図３の（ａ）及び（ｂ）に示したように、蓋部１６となる。なお、この蓋部１６には、図２に示した接着剤１６ａが塗布されるものであり、この接着剤１６ａは剥離材１６ｂが貼付されることによって保護される。
【００４０】
図５〜図７には、本発明に係る包装用吊下袋１０が示してあるが、この包装用吊下袋１０では、補強材１７を採用して、この補強材１７の突出部１７ａに吊下部１４である穴を形成した以外は、上記の基本構成と同様である。従って、この包装用吊下袋１０の説明では、この補強材１７を中止とした部分だけを行い、他の部分については、図５〜図７中に、図１〜図４で使用した符号を付して、その詳細は省略する。
【００４１】
すなわち、この包装用吊下袋１０では、図５及び図６に示したように、プラスチックフィルムからなる表側材１１及び裏側材１２の、上端１３と溶着線１８との間に形成された空間内に補強材１７を収納しておいたものである。そして、この補強材１７の中央上部に突出部１７ａを形成し、この突出部１７ａを、図６にも示したように、上端１３の中央部に形成した開口１３ａから突出させて、これに吊下部１４を形成したのである。
【００４２】
この補強材１７は、例えば合成樹脂を材料として板状に形成したものであり、非常に安価でしかも必要十分な剛性を備えたものである。この補強材１７は、溶着線１８を形成する前に、上端１３の内側に配置して置けば、簡単に包装用吊下袋１０の構成物とすることができる。
【００４３】
この補強材１７は、当該包装用吊下袋１０の上部を補強するだけでなく、この補強材１７の突出部１７ａに吊下部１４を形成したのであるから、一本の吊下ピン３０に当該包装用吊下袋１０を吊下した場合であっても、収容物２０の荷重が包装用吊下袋１０の一部だけに掛かることがなくなる。このため、この実施例２の包装用吊下袋１０では、その上部での補強が十分なされていることになる。
【符号の説明】
【００４４】
１０    包装用吊下袋
１０ａ  挿入口
１１    表側材
１２    裏側材
１３    上端
１３ａ  開口
１４    吊下部
１５    収容物支持部
１５ａ  折目線
１５ｂ  自由端
１６    蓋部
１６ａ  接着剤
１７    補強材
１７ａ  突出部
１８    溶着線
２０    収容物
３０    吊下ピン